(57)【要約】【課題】構造を簡略化できる液晶表示装置及びこれを用いた玩具を提供する。【解決手段】第１コネクタ５１は、導光板３０の第１縁部３１に設けられ、第２コネクタ５２及び第３コネクタ５３は、導光板３０における第１縁部３１とは反対側の第２縁部３２に所定間隔を空けて設けられている。このため、液晶パネル４０を三点で保持するので、液晶パネル４０を安定して保持することができる。また、第２コネクタ５２及び第３コネクタ５３の間にＬＥＤ３５を設けて導光板３０に光を照射することにより、１個のＬＥＤ３５で液晶パネル４０に十分な光量を照射することができ、構造を簡略化できる。【選択図】図３
2020021011.tif 000002
【特許請求の範囲】
【請求項１】
回路基板と、
前記回路基板上に配置された導光板と、
前記導光板上に配置された平面視矩形状の液晶パネルと、
前記回路基板及び前記液晶パネルを接続する第１コネクタ、第２コネクタ、第３コネクタと、
前記導光板の端面に向けて光を照射するＬＥＤと、を備え、
前記第１コネクタは、前記導光板の平面視における任意の第１縁部に設けられ、
前記第２コネクタ及び前記第３コネクタは、前記導光板の平面視における前記第１縁部と対向する第２縁部に所定間隔を空けて設けられ、
前記ＬＥＤは、前記第２コネクタ及び前記第３コネクタの間に配置されている液晶表示装置。
【請求項２】
請求項１に記載の液晶表示装置であって、
前記液晶パネル及び前記導光板は、平面視長方形であり、
前記第１コネクタは、前記導光板の平面視における一方の長辺に設けられ、
前記第２コネクタ及び前記第３コネクタは、前記導光板の平面視における他方の長辺に設けられている液晶表示装置。
【請求項３】
請求項１または請求項２に記載の液晶表示装置であって、
前記導光板は、前記液晶パネルに向けて光を照射する照射面を含む出光部と、
前記出光部に接続され、前記回路基板の面方向に沿って前記出光部から離れる方向に突出する入光部と、を備え、
前記入光部に向けて光を照射するように前記ＬＥＤが配置されている液晶表示装置。
【請求項４】
請求項１ないし請求項３のうちのいずれか１項に記載の液晶表示装置であって、
前記導光板は、前記第１コネクタ、前記第２コネクタ及び前記第３コネクタを支持する支持部が設けられている液晶表示装置。
【請求項５】
請求項１ないし請求項４のうちのいずれか１項に記載の液晶表示装置であって、
前記導光板、前記液晶パネル、前記第１コネクタ、前記第２コネクタ、前記第３コネクタ及び前記ＬＥＤを覆うカバー部材を備え、
前記カバー部材は、前記液晶パネルの表示面を露出する開口部が設けられている液晶表示装置。
【請求項６】
請求項１ないし請求項５のうちのいずれか１項に記載の液晶表示装置が用いられた玩具。
【発明の詳細な説明】
【技術分野】
【０００１】
本発明は、液晶表示装置及びこれを用いた玩具に関する。
【背景技術】
【０００２】
従来、液晶パネルを用いた液晶表示装置が種々の分野で用いられている（例えば、特許文献１参照）。特許文献１に記載の技術は、押しボタンスイッチを内蔵した液晶表示を行う液晶表示装置であり、反射体本体に、複数のＬＥＤが設けられたバックライト基板、液晶表示体のドライバーを内蔵する回路基板、液晶表示体等を有するものである。
【先行技術文献】
【特許文献】
【０００３】
【特許文献１】特開２００１−２９０１３２
【発明の概要】
【発明が解決しようとする課題】
【０００４】
しかしながら、前述した特許文献１に記載の液晶表示装置では、複数のＬＥＤや、バックライト基板等が必要であり、部品点数が多く構造が複雑化するという問題がある。
【０００５】
本発明は、構造を簡略化できる液晶表示装置及びこれを用いた玩具を提供することを目的とする。
【課題を解決するための手段】
【０００６】
本発明に係る液晶表示装置は、回路基板と、前記回路基板上に配置された導光板と、前記導光板上に配置された平面視矩形状の液晶パネルと、前記回路基板及び前記液晶パネルを接続する第１コネクタ、第２コネクタ、第３コネクタと、前記導光板の端面に向けて光を照射するＬＥＤと、を備え、前記第１コネクタは、前記導光板の平面視における任意の第１縁部に設けられ、前記第２コネクタ及び前記第３コネクタは、前記導光板の平面視における前記第１縁部と対向する第２縁部に所定間隔を空けて設けられ、前記ＬＥＤは、前記第２コネクタ及び前記第３コネクタ間に配置されている。
【０００７】
本発明に係る液晶表示装置において、前記液晶パネル及び前記導光板は、平面視長方形であり、前記第１コネクタは、前記導光板の平面視における一方の長辺に設けられ、前記第２コネクタ及び前記第３コネクタは、前記導光板の平面視における他方の長辺に設けられていてもよい。
【０００８】
本発明に係る液晶表示装置において、前記導光板は、前記液晶パネルに向けて光を照射する照射面を含む出光部と、前記出光部に接続され、前記回路基板の面方向に沿って前記出光部から離れる方向に突出する入光部と、を備え、前記入光部に向けて光を照射するように前記ＬＥＤが配置されていてもよい。
【０００９】
本発明に係る液晶表示装置において、前記導光板は、前記第１コネクタ、前記第２コネクタ及び前記第３コネクタを支持する支持部が設けられていてもよい。
【００１０】
本発明に係る液晶表示装置において、前記導光板、前記液晶パネル、前記第１コネクタ、前記第２コネクタ、前記第３コネクタ及び前記ＬＥＤを覆うカバー部材を備え、前記カバー部材は、前記液晶パネルの表示面を露出する開口部が設けられていてもよい。
【００１１】
また、本発明に係る玩具は、上記の液晶表示装置が用いられた玩具である。
【発明の効果】
【００１２】
本発明によれば、構造を簡略化できる液晶表示装置及びこれを用いた玩具を提供することができる。
【図面の簡単な説明】
【００１３】
【図１】本発明の実施形態である液晶表示装置を用いた玩具の全体構成を示す斜視図である。
【図２】（Ａ）は、本発明の実施形態である液晶表示装置の全体構成を示す斜視図であり、（Ｂ）は（Ａ）中Ｂ−Ｂ位置の断面図である。
【図３】本発明の実施形態である液晶表示装置の分解斜視図である。
【図４】回路基板の斜視図である。
【図５】（Ａ）は、導光板の斜視図であり、（Ｂ）は、（Ａ）においてＢ方向から見た拡大平面図である。
【図６】液晶パネルの斜視図である。
【発明を実施するための形態】
【００１４】
［本発明の実施の形態］
図１は、本発明の実施形態である液晶表示装置を用いた玩具の全体構成を示す斜視図である。
【００１５】
図１に示す玩具１は、例えば、遊戯者が腰に装着して使用するものであり、玩具本体２と、玩具本体２に取り付けられ遊戯者に装着するためのベルト３を有する。玩具本体２の中央部は全体略長円形状を呈しており、その表面には略長方形状の窓２aが開口している。そして、玩具本体２の内部には、窓２aを通して外部に露出する液晶表示装置１０が設けられている。
【００１６】
玩具本体２の表面には、玩具１を用いて遊ぶ際に液晶表示装置１０を作動させるための操作ボタン４が設けられている。また、玩具本体２の内部には、液晶表示装置１０を作動させる電池（図示省略）や、操作ボタン４の操作により、液晶表示装置１０の表示を制御する制御部（図示省略）等が収容されている。
【００１７】
図２（Ａ）は、本発明の実施形態である液晶表示装置１０の全体構成を示す斜視図であり、図３は、本発明の実施形態である液晶表示装置１０の分解斜視図である。なお、以下の説明においては、図２（Ａ）及び図３中上方を「上」、下方を「下」と表示することとする。図２（Ａ）及び図３に示すように、液晶表示装置１０は、回路基板２０と、回路基板２０の上方に設けられた導光板３０と、導光板３０の上方に設けられた液晶パネル４０と、回路基板２０と液晶パネル４０とを電気的に接続するコネクタ部材（第１コネクタ５１〜第３コネクタ５３）と、導光板３０に対して光を照射する発光部材（ＬＥＤ３５）と、カバー部材１１とを有する。
【００１８】
カバー部材１１は、導光板３０、コネクタ部材（第１コネクタ５１〜第３コネクタ５３）、発光部材（ＬＥＤ３５）を覆い、回路基板２０に固定することができる。また、カバー部材１１は、長方形状の上開口１２と、上開口１２よりも大きな長方形状の下開口１３を有する。また、カバー部材１１の四辺からなる立壁１４には、外周面に沿って回路基板２０に取り付けるための複数の取付部１５を有しており、取付ねじ（図示省略）により回路基板２０に取り付けられる。また、上開口１２から液晶パネル４０の表示面４２が露出するようになっている。
【００１９】
図４は、回路基板２０の斜視図である。図３及び図４に示すように、回路基板２０は、全体略長方形状を呈しており、電池からの電力を、導光板３０のＬＥＤ３５及び液晶パネル４０に供給するための回路（図示省略）が設けられている。また、回路基板２０は、平面視でカバー部材１１の外形よりも大きめであり、カバー部材１１に取り付けるための切欠き２１や貫通孔２２が、カバー部材１１の取付部１５に対応して設けられている。
【００２０】
図５（Ａ）は、導光板３０の斜視図であり、図５（Ｂ）は、図５（Ａ）においてＢ方向から見た拡大平面図である。図３及び図５（Ａ）に示すように、導光板３０は、液晶表示装置１０におけるバックライトとして機能するものである。導光板３０は、カバー部材１１の立壁１４の内側において回路基板２０の上側に取り付けられる。
【００２１】
導光板３０は、例えば、ポリカーボネートやアクリル等の樹脂や、ガラス等を用いることができるが、これに限られず光を透過するものであれば適用可能であるまた、本実施形態では、導光板３０は均一な厚みに形成されている。なお、導光板３０は、半透明や着色することにより、バックライトとして液晶パネル４０をどの様に光らせるかを調整することができる。さらに、導光板３０は、表面の一部あるいは全部を、鏡面加工や、シボ加工や、ヘアライン加工等にすることもできる。また、導光板３０の厚みを均一ではなく、部分的に薄くしたり厚くしたりしても良い。
【００２２】
導光板３０の一方の長辺（第１縁部）３１は、第１切欠部（切欠部）３７１が略一直線状に形成されており、外側に突出する突起３７３が複数個（ここでは、２個）設けられている。また、他方の長辺（第２縁部）３２側には、長手方向中央部から回路基板２０の面方向に沿って外側に向けて山型に突出する入光部３３が形成されている。他方の長辺３２側において入光部３３を挟んだ両側には、第２切欠部（切欠部）３７２が設けられている。また、入光部３３の頂部分の端部には円弧上に凹んだ凹部３３１が設けられている。また、導光板３０の一方の長辺３１と他方の長辺３２との間の全体略長方形状の領域は、液晶パネル４０に向けて光を発する出光部３４であり、出光部３４における液晶パネル４０側の面は、光を発する照射面３４１となる。なお、入光部３３と出光部３４は、一体成形によって連続して形成されている。
【００２３】
図５（Ｂ）に示すように、凹部３３１は、円周面（端面、反対側の端面）３３２を有しており、円周面３３２に対向してＬＥＤ３５が設けられている。ＬＥＤ３５は、ＬＥＤ基板３６に取り付けられている。ＬＥＤ基板３６は、回路基板２０に接続されており、ＬＥＤ３５を制御する。したがって、回路基板２０からＬＥＤ基板３６を経て、ＬＥＤ３５に電力が供給されると、ＬＥＤ３５は円周面３３２に向かって光を照射する。円周面３３２に照射された光は、入光部３３から出光部３４に導かれ、出光部３４の照射面３４１から液晶パネル４０に光が照射される。
【００２４】
図３に示すように、導光板３０の一方の長辺３１には、第１コネクタ５１が設けられており、他方の長辺３２には、第２コネクタ５２及び第３コネクタ５３が設けられている。第１コネクタ５１は、一方の長辺３１の略全長にわたる長さを有している。第２コネクタ５２は、入光部３３に対して導光板３０の長手方向の一方の側に設けられており、第３コネクタ５３は、入光部３３に対して第２コネクタ５２と反対側に設けられている。これにより、第１コネクタ５１、第２コネクタ５２及び第３コネクタ５３は、液晶パネル４０を平面視上下の三点で安定的に保持することができる。なお本実施形態では、第１コネクタ５１、第２コネクタ５２及び第３コネクタ５３は、ゼブラゴムで形成されており、無力状態における上下方向の高さは、導光板３０の厚さよりも大きく設定されている（図２（Ｂ）参照）。
【００２５】
図６は、液晶パネル４０の斜視図である。図３及び図６に示すように、液晶パネル４０は、長方形状の枠部４１を有しており、枠部４１の内側に、例えば４桁の数字を表示できるセグメントを有する表示面４２が設けられている。枠部４１の下面には回路（図示省略）が設けられており、表示面４２に接続されている。また、枠部４１の下面には、第１コネクタ５１、第２コネクタ５２及び第３コネクタ５３が当接しており、表示面４２は第１コネクタ５１、第２コネクタ５２及び第３コネクタ５３を介して回路基板２０と電気的に接続されている。
【００２６】
次に、図３及び図２（Ｂ）を参照して、液晶表示装置１０の組み立て方について説明する。まず、回路基板２０の上側の所定位置に導光板３０を載置する。そして、導光板３０の入光部３３の凹部３３１に対応するように、ＬＥＤ３５が実装されたＬＥＤ基板３６を回路基板２０にとりつける。
【００２７】
そして、導光板３０の一方の長辺３１に設けられた第１切欠部３７１に第１コネクタ５１を取り付けるとともに、他方の長辺３２に設けられた第２切欠部３７２に第２コネクタ５２及び第３コネクタ５３を取り付ける。第１コネクタ５１は、第１切欠部３７１に設けられている突起３７３に押し付けられて位置決めされる。ここで、第１切欠部３７１、第２切欠部３７２は、第１コネクタ５１、第２コネクタ５２、または第３コネクタ５３を導光板３０に対して支持する支持部として機能する。また、第１切欠部３７１、第２切欠部３７２の形状はそれぞれ、第１コネクタ５１、第２コネクタ５２、または第３コネクタ５３の形状に対応した形状となっている。第１切欠部３７１、第２切欠部３７２に、第１コネクタ５１、第２コネクタ５２、または第３コネクタ５３を嵌め合わせることにより、第１コネクタ５１、第２コネクタ５２、第３コネクタ５３の位置決めを容易に行うことができる。
【００２８】
次いで、導光板３０の上側に液晶パネル４０を載置する。このとき、第１コネクタ５１、第２コネクタ５２及び第３コネクタ５３の高さが導光板３０の厚さよりも大きいので、液晶パネル４０は、第１コネクタ５１、第２コネクタ５２及び第３コネクタ５３によって支持される。最後に、液晶パネル４０の上側からカバー部材１１を被せると、カバー部材１１の上開口１２の縁部１２１が液晶パネル４０の枠部４１の上面に当接して、カバー部材１１の下端部は、回路基板２０の上面よりも上方に浮いて停止する。
【００２９】
この状態で、カバー部材１１の取付部１５に上方から取付ねじ（図示省略）を挿入して、回路基板２０にねじ込むと、液晶パネル４０の枠部４１の下面が、ゼブラゴムで形成されている第１コネクタ５１、第２コネクタ５２及び第３コネクタ５３を圧縮して取り付けられる。このため、カバー部材１１の内部に収容されている導光板３０に及び液晶パネル４０は、ゼブラゴムの弾性力により所定位置に確実に保持されるとともに、液晶パネル４０は電気的に確実に回路基板２０と接続される。なお、液晶表示装置１０は、カバー部材１１を介して玩具本体２の内部に取り付けられる。あるいは、回路基板２０を介して玩具本体２に取り付けることもできる。
【００３０】
本実施形態に係る液晶表示装置１０では、第１コネクタ５１は、導光板３０の一方の長辺３１に設けられ、第２コネクタ５２及び第３コネクタ５３は、導光板３０における一方の長辺３１と対向する（反対側の）他方の長辺３２に所定間隔を空けて設けられている。このため、液晶パネル４０を三点で保持するので、液晶パネル４０を安定して保持することができる。また、第２コネクタ５２及び第３コネクタ５３の間にＬＥＤ３５を設けて導光板３０に光を照射することにより、１個のＬＥＤ３５で液晶パネル４０に十分な光量を照射することができ、構造を簡略化できる。
【００３１】
また、本実施形態に係る液晶表示装置１０では、導光板３０は、液晶パネル４０に向けて光を照射する照射面３４１を含む出光部３４と、出光部３４に接続され回路基板２０の面方向に沿って出光部３４から離れる方向に突出する入光部３３と、を有する。入光部３３は山型形状を呈しており、出光部３４と反対側の頂部には、円周面３３２を有する凹部３３１が設けられている。そして、円周面３３２に向けて光を照射するようにＬＥＤ３５が配置されている。このため、１個のＬＥＤ３５で液晶パネル４０に十分な光量を照射することができ、構造を簡略化できる。また、導光板３０に入射する光を円周面３３２を介して均一にすることができる。
【００３２】
また、本実施形態に係る液晶表示装置１０では、導光板３０は、第１コネクタ５１、第２コネクタ５２及び第３コネクタ５３を支持する支持部が設けられている。このため、導光板３０に対する第１コネクタ５１、第２コネクタ５２及び第３コネクタ５３の位置決めを容易に行うことができる。
【００３３】
また、本実施形態に係る液晶表示装置１０では、カバー部材１１を備えることにより、導光板３０、液晶パネル４０、第１コネクタ５１、第２コネクタ５２、第３コネクタ５３及びＬＥＤ３５を所定の位置で固定することができる。
【００３４】
また、本実施形態に係る液晶表示装置１０は、各種玩具に適用可能である。本実施形態では、玩具１に適用した例を示しており、液晶表示装置１０は玩具本体２に収容され、例えば、玩具本体２にベルト３と取り付けることにより、遊戯者は腰に玩具１を取り付けて、液晶表示装置１０を用いて遊技することができる。
【００３５】
本発明の液晶表示装置１０及びこれを用いた玩具１は、前述した実施形態に限定されるものでなく、適宜な変形、改良等が可能である。例えば、前述した実施形態においては、液晶表示装置１０を収容した玩具本体２に、ベルト３を取り付けて玩具１を構成する場合について説明したが、液晶表示装置１０を用いた携帯電話のように構成して遊戯することも可能である。
【符号の説明】
【００３６】
１  玩具
１０  液晶表示装置
１１  カバー部材
２０  回路基板
３０  導光板
３１  一方の長辺（第１縁部）
３２  他方の長辺（第２縁部）
３３  入光部
３３２  円周面（端面、反対側の端面）
３４  出光部
３４１  照射面
３５  ＬＥＤ
３７１  第１切欠部（切欠部）
３７２  第２切欠部（切欠部）
４０  液晶パネル
４２  表示面
５１  第１コネクタ
５２  第２コネクタ
５３  第３コネクタ
【図１】
2020021011.tif 000003
【図２】
2020021011.tif 000004
【図３】
2020021011.tif 000005
【図４】
2020021011.tif 000006
【図５】
2020021011.tif 000007
【図６】
2020021011.tif 000008
【手続補正書】
【提出日】令和1年9月11日(2019.9.11)
【手続補正１】
【補正対象書類名】特許請求の範囲
【補正対象項目名】全文
【補正方法】変更
【補正の内容】
【特許請求の範囲】
【請求項１】
回路基板と、
前記回路基板上に配置された導光板と、
前記導光板上に配置された平面視矩形状の液晶パネルと、
前記回路基板及び前記液晶パネルを接続する第１コネクタ、第２コネクタ、第３コネクタと、
前記導光板の端面に向けて光を照射するＬＥＤと、を備え、
前記第１コネクタは、前記導光板の平面視における任意の第１縁部に設けられ、
前記第２コネクタ及び前記第３コネクタは、前記導光板の平面視における前記第１縁部と対向する第２縁部に所定間隔を空けて設けられ、
前記導光板は、前記液晶パネルに向けて光を照射する照射面を含む出光部と、前記出光部に接続され、前記照射面の面方向に沿って前記出光部から離れる方向に突出する入光部と、を備え、
前記入光部の端面に円弧状の凹部が設けられており、
前記ＬＥＤは、前記第２コネクタ及び前記第３コネクタの間に、前記凹部に向けて前記照射面に対して平行な方向に光を照射するように配置されている液晶表示装置。
【請求項２】
請求項１に記載の液晶表示装置であって、
前記液晶パネル及び前記導光板は、平面視長方形であり、
前記第１コネクタは、前記導光板の平面視における一方の長辺に設けられ、
前記第２コネクタ及び前記第３コネクタは、前記導光板の平面視における他方の長辺に設けられている液晶表示装置。
【請求項３】
請求項１または請求項２に記載の液晶表示装置であって、
前記入光部は、前記照射面の面方向に沿って外側に向けて山型に突出しており、前記凹部は、前記山型の頂部分の端面に設けられている
液晶表示装置。
【請求項４】
請求項１ないし請求項３のうちのいずれか１項に記載の液晶表示装置であって、
前記導光板は、前記第１コネクタ、前記第２コネクタ及び前記第３コネクタを支持する
支持部が設けられている液晶表示装置。
【請求項５】
請求項１ないし請求項４のうちのいずれか１項に記載の液晶表示装置であって、
前記導光板、前記液晶パネル、前記第１コネクタ、前記第２コネクタ、前記第３コネクタ及び前記ＬＥＤを覆うカバー部材を備え、
前記カバー部材は、前記液晶パネルの表示面を露出する開口部が設けられている液晶表
示装置。
【請求項６】
請求項１ないし請求項５のうちのいずれか１項に記載の液晶表示装置が用いられた玩具。
【手続補正２】
【補正対象書類名】明細書
【補正対象項目名】０００６
【補正方法】変更
【補正の内容】
【０００６】
本発明に係る液晶表示装置は、回路基板と、前記回路基板上に配置された導光板と、前記導光板上に配置された平面視矩形状の液晶パネルと、前記回路基板及び前記液晶パネルを接続する第１コネクタ、第２コネクタ、第３コネクタと、前記導光板の端面に向けて光を照射するＬＥＤと、を備え、前記第１コネクタは、前記導光板の平面視における任意の第１縁部に設けられ、前記第２コネクタ及び前記第３コネクタは、前記導光板の平面視における前記第１縁部と対向する第２縁部に所定間隔を空けて設けられ、前記ＬＥＤは、前記第２コネクタ及び前記第３コネクタ間に配置されている。また、本発明に係る液晶表示装置は、回路基板と、前記回路基板上に配置された導光板と、前記導光板上に配置された平面視矩形状の液晶パネルと、前記回路基板及び前記液晶パネルを接続する第１コネクタ、第２コネクタ、第３コネクタと、前記導光板の端面に向けて光を照射するＬＥＤと、を備え、前記第１コネクタは、前記導光板の平面視における任意の第１縁部に設けられ、前記第２コネクタ及び前記第３コネクタは、前記導光板の平面視における前記第１縁部と対向する第２縁部に所定間隔を空けて設けられ、前記導光板は、前記液晶パネルに向けて光を照射する照射面を含む出光部と、前記出光部に接続され、前記照射面の面方向に沿って前記出光部から離れる方向に突出する入光部と、を備え、前記入光部の端面に円弧状の凹部が設けられており、前記ＬＥＤは、前記第２コネクタ及び前記第３コネクタの間に、前記凹部に向けて前記照射面に対して平行な方向に光を照射するように配置されている。